(57)【要約】【課題】【目的】電子線が窓箔を透過するとき、そのエネルギーの一部が失われ、窓箔は発熱する。過度の発熱に伴う窓箔の損傷を防止するために、冷却風ダクトから供給された冷却風をノズルによって窓箔に吹き付けて冷却している。コンベアに載置されて被照射シートの先端部が照射領域に導入されるとき、ビームキャッチャで反転した冷却風によって被照射シートの先端部がめくれ上がる現象が発生する。当該冷却風による被照射物のめくれ上がりを防止する簡単な構造の被照射物固定機構を実現する。【構成】板状ビームキャッチャ側面又は側面やや下方より被照射物を吸引するための吸引機構を備えることにより、被照射物をコンベアに固定する。【選択図】    図１
2004239723.tif 000002
【特許請求の範囲】
【請求項１】
冷却風により冷却される窓箔と、
気流を通す被照射物搬送用のコンベアを有する搬送装置と、
板状ビームキャッチャと、
板状ビームキャッチャ側面又は側面やや下方より被照射物を吸引するための吸引機構とを備えた電子線照射装置。
【請求項２】
板状ビームキャッチャに突起又は窪みを設けた請求項１に記載の電子線照射装置
【発明の詳細な説明】
【０００１】
【発明の属する技術分野】
本発明は電子線照射装置に関する。
【０００２】
【従来の技術】
【０００３】
図２は従来例１を示す。電子線が窓箔２を透過するとき、そのエネルギーの一部が失われ、窓箔２は発熱する。過度の発熱に伴う窓箔２の損傷を防止するために、冷却風ダクト８から供給された冷却風１０をノズル９によって窓箔２に吹き付けて冷却している。窓箔２は走査管１の内部が真空状態にあるから図に示すように凹み、ノズル９からの冷却風１０は、矢印で示すように流れ、照射領域のメッシュコンベア４上に被照射シート５が存在しないとき、メッシュコンベア４を通り抜けてビームキャッチャ６に当って反転する。
【０００４】
したがって、メッシュコンベア４に載置されて被照射シート５の先端部が照射領域に導入されるとき、ビームキャッチャ６で反転した冷却風１０によって被照射シート５の先端部がめくれ上がる現象が発生する。一般に電子線照射装置にあっては、電子線によるオゾンの発生、エネルギー損失を抑えるために、窓箔２から被照射シート５に到達するまでの電子線通過雰囲気層の距離が短くなるように構成されているから、被照射シート５先端部のめくれ現象発生は電子線照射装置の円滑な運転を阻害する。
【０００５】
以上の問題解決の為、図３の従来例２では、メッシュコンベア４の下方位置に複数のパイプ状ビームキャッチャ１６及び鉛ターゲット１７を分割配置する事により、冷却風１０をビームキャッチャ１６で反転し難くさせ、冷却風１０によって被照射シート５の先端部がめくれ上がる現象を軽減させている。
【０００６】
さらに、排気装置１９をメッシュコンベア４の下部に設け、被照射シート５先端部の下面の雰囲気気体を排気ブロワ２１で排気させることにより、シート先端部はメッシュコンベア４に密着し、めくれ防止機能を更に助長している。
【０００７】
各ビームキャッチャ１６は内部を冷却水が通流するステンレス製のパイプで構成されており、鉛ターゲット１７は電子線が直接当らないように、ビームキャッチャの電子線が当る側とは反対側の周面部に取り付けられている。複数のビ−ムキャッチャ１６は、それぞれ間隔、隙間を置いて並設されており、ビームキャッチャ間の隙間を通り抜ける電子線を吸収、捕捉できるように例えば２段に配置する。鉛ターゲット１７は、捕捉した電子線から発生する放射線を吸収するためのものである。
【０００８】
以上の様に、窓箔２の冷却風１０により被照射物５がめくれ上がり窓箔２の損傷が起こることを、メッシュコンベア４の下部にパイプ状ビームキャッチャ１６と排気装置１９（吸引機構）を設け、照射領域に導入された被照射シート５の先端部の下面の雰囲気気体を強制的に排気（吸引）することにより、被照射シート５先端部をメッシュコンベア４に密着し、めくれ上がりを防止することができる機構は、従来から提案されている。（たとえば、特許文献１参照。）
【０００９】
【特許文献１】
実開平７−１８３００号公報（請求項１、図１）
【００１０】
【発明が解決しようとする課題】しかし、上記従来例２においては、吸引流の為にビームキャッチャ間に隙間を設ける必要があり、この隙間によりビームの全てがキャッチ出来ずに吸引機構にビームが当たり、吸引機構を加熱する。この熱放散の為に吸引ダクト周辺の空間を広くとる必要があり、装置が大型化する。また、ビームキャッチャを特殊な機構とする必要がある。
【課題を解決するための手段】本発明は、冷却風により冷却される窓箔と、気流を通す被照射物搬送用のコンベアを有する搬送装置と、板状ビームキャッチャと、板状ビームキャッチャ側面又は側面やや下方より被照射物を吸引するための吸引機構とを備える。
【００１１】
さらに、吸引機構の小型化・高効率化を実現する為、吸引空間を制限する目的にビームキャッチャ表面に突起を設ける。これにより吸引容量の小さな吸引ブロワでも被照射物を吸引することができる。また、突起の代りにビームキャッチャ表面に窪みを設けても同一の効果が生まれる。
【００１２】
【発明の実施の形態】
本発明の実施例を図１によって説明する。なお図２又は図３と同じ符号を付した部分は同一または対応する部分を示す。ビームキャッチャ６及び鉛ターゲット７は板状のものである。ビームキャッチャ６には発熱を低減する為、冷却水孔２３を設けてある。板状ビームキャッチャの側面又は側面やや下方には吸引ダクト２０を設ける。
【００１３】
ビームキャッチャ６で反転した冷却風１０によって、被照射物５をめくれ上げる力が発生するが、吸引機構１９からの吸引流２２により被照射物５を搬送装置４に引き付ける事が出来る為、めくれ上げられることが無くなる。
【００１４】
冷却風１０により被照射物５がめくれ上げられるのは、コンベア４に載置されて被照射シート５の先端部が照射領域に導入されるときであり、走査管１の真下ではめくれ上げられる力は弱い。つまり、走査管１の中央に向かって搬送される部分を下方に向かう力で固定すれば、被照射物はめくれ上げられなくなる。当該下方に向かう力を吸引機構１９にて実現している。
【００１５】
上記の吸引流２２を効率的に発生させる為、図４及び図５の様にビームキャッチャ上に突起により壁を設ける。これにより、吸引対象範囲が制限される為吸引ブロワの容量を小さくできる。同様に図６及び図７の様にビームキャッチャの一部に窪みを設ける事でも同様の効果が生まれる。
【００１６】
気流を通す搬送装置４は被照射物５を乗せる部分にメッシュ構造のものを用いるか複数の孔を開けることで実現する。この事から吸引流２２により被照射物５を搬送装置４に固定する事が可能となる。
【００１７】
板状ビームキャッチャは１枚の板で実現しても良いが、市販角型パイプを一列に並べて配置することでも実現できる。当該方式により冷却水孔２３の特殊加工が不用となり、コストダウンに寄与する。
【発明の効果】
以上説明したように本発明によれば、板状ビームキャッチャを用いる事ができるため、構造の簡単な被照射シートのめくれ防止機構を備えた電子線照射装置が実現できる。なお、本発明によれば、既に納入済の製品についても、吸引機構を容易に追加する事が可能である。
【図面の簡単な説明】
【図１】本発明の実施例を示す断面図である。
【図２】従来例１の断面図である。
【図３】従来例２の断面図である。
【図４】本発明の突起方式のビームキャッチャ上面図である。
【図５】本発明の突起方式のビームキャッチャ側面図である。
【図６】本発明の窪み方式のビームキャッチャ上面図である。
【図７】本発明の窪み方式のビームキャッチャ側面図である。
【符号の説明】
１    走査管
２    窓箔
４    コンベア（メッシュコンベア）
５    被照射物（被照射シート）
６    ビームキャッチャ
７    鉛ターゲット
９    冷却風ノズル
１０  冷却風
１９    吸引機構（排気装置）
２０    吸引ダクト（排気ダクト）
２１    吸引ブロワ（排気ブロワ）
【図１】
2004239723.tif 000003
【図２】
2004239723.tif 000004
【図３】
2004239723.tif 000005
【図４】
2004239723.tif 000006
【図５】
2004239723.tif 000007
【図６】
2004239723.tif 000008
【図７】
2004239723.tif 000009